(57)【要約】【課題】沈埋函の沈設時に、沈埋函とフロートとを一体化させると共に、操函ウインチをフロート上に搭載して操函時の安定性を良くし、高精度で沈埋函の沈設位置決めを行なうことができ、高波浪時でも据付け作業ができる沈埋函の沈設方法およびその装置を提供する。【解決手段】四隅に沈埋函沈設時に上面が水面上に位置するフロート１０を固定した沈埋函Ａを沈設場所まで曳航し、フロート１０上の操函ウインチ１１の操函ワイヤー１９と、水中に設置した複数のシンカー３７とを接続し、沈埋函Ａの前後左右の位置関係を操函ウインチ１１を調整操作しながら沈埋函Ａ内に注水して沈埋函Ａを所定の据付位置に沈設する。【選択図】        図４
2004256990.tif 000002
【特許請求の範囲】
【請求項１】
沈埋函沈設時に上面が水面上に位置するフロートを有する構造物を固定した沈埋函を沈設場所まで曳航し、上記各フロートを備えた構造物上に設けられた操函ウインチの各操函ワイヤーと、あらかじめ水中に設置した複数のシンカーとを接続し、沈埋函の前後左右の位置関係を上記操函ウインチを調整操作しながら沈埋函内に注水して沈埋函を所定の据付位置に沈設する沈埋函の沈設方法。
【請求項２】
函内注排水ポンプを備えた沈埋函に、バラストタンク及びその注排水用のポンプを備えた沈埋函沈設時に上面が水面上に位置するフロートを有する構造物を脱着可能に固定すると共に、それら各フロートに、沈埋函をあらかじめ水中に設置した複数のシンカーを介して所定の据付位置に据付けるための操函ウインチ及びフェアリーダを配設した沈埋函の沈設装置。
【発明の詳細な説明】
【０００１】
【発明の属する技術分野】
本発明は、ケーソンや水底トンネル用のコンクリート製の沈埋函を水面上より沈降させ、所定位置に設置するための沈埋函の沈設方法およびその装置に関する。
【０００２】
【従来の技術】
従来、沈埋函の沈設に際しては、水面に浮上させたバージやポンツーンからウインチによって沈埋函を吊り下げて沈降させる沈設工法には、「プレーシングバージ方式」や「タワーポンツーン方式」と称されている（例えば、特許文献１参照。）ものがある。
【０００３】
【特許文献１】
特許第２８５７６４４号公報
【０００４】
この従来のプレーシングバージ方式は、図６に示すようにプレーシングバージと称される一対のバージ２，２を箱型のガーター３，３にて連結した双胴型バージ１を使用し、水面上に浮上させた沈埋函Ａをバージ２，２間に抱き込むように支持させた状態で沈設地点まで曳航する。沈設地点ではバージ１から水平操作用ワイヤー４，４・・・・を多方向に繰り出し、その先端を水底に固定し、この各ワイヤー４，４・・・・をウインチにより繰り出し、巻き取り操作することによってバージ１の水平位置調整を行うとともに沈埋函Ａに注水し、吊りワイヤー５，５・・・・を繰り出しつつ沈降させるものであり、この方式では沈埋函Ａの水平方向の位置調整はバージ１の水平位置調整によって行っている。
【０００５】
また、従来のタワーポンツーン方式は図７に示すように、沈埋函Ａ上に、沈設完了後にも上端が水平上より突出する高さの作業用タワー６，６を立てるとともにともに水平操作用ワイヤー４，４・・・・を沈埋函Ａ上より多方向に繰り出して先端を水底に固定し、このワイヤー４，４・・・・を巻き取り繰り出し操作する水平操作ワイヤー用ウインチ７，７・・・・を作業用タワー６，６の上端部に設置し、この各ウインチ７，７・・・・の操作によって沈埋函Ａの水平方向の位置の調整を行う。一方、水面上には吊り降し操作用のポンツーン８，８を浮上させておき、その上から吊りワイヤー５，５・・・・をウインチ９，９・・・・により垂下させて沈埋函Ａを吊り、注水及び吊りワイヤー５，５・・・・の繰り出しによって沈降させるようにしている。
【０００６】
さらに、上記従来のプレーシングバージ方式及びタワーポンツーン方式における問題点を解消するために案出された前記特許文献１の発明においては、図８に示すごとく、水面上に浮上させたポンツーン２０，２０に、ウインチにより出入操作される吊りワイヤー３１を介して沈埋函Ａを吊り下げ、その沈埋函Ａに対して、先端を水底のシンカー３７に固定した複数方向の水平操作用のワイヤー３８を連係させ、沈埋函Ａを、上記ワイヤー３８の繰り出しによって沈降させると共に、そのワイヤー３８の出入操作によって水平方向位置の調整を行なうようにしている。
【０００７】
なお、上記図８においては、双胴型ポンツーン２０，２０は、それぞれ一対の鋼製枠体からなるガータ２３によって連結され、両ポンツーン２０，２０の間隔は、浮上した沈埋函Ａの上部が防舷材２４，２４を介して入り込む長さとなっており、両ポンツーン２０，２０内に沈埋函Ａを抱き込んで曳航できるようになっており、従来「プレーシングポンツーン方式」と称されている。
【０００８】
以上の通り、従来の沈埋函の沈設方法においては、いずれの方式においても浮体があって、そこから沈埋函を吊り降ろして、据付け作業を行なうようになっており、波浪による影響が大きい水面上の浮体の動きと、波浪による影響が少ない水中に吊り下げられた沈埋函の動きが異なるため、沈埋函の据付時の位置決めがむずかしく、精度よく据え付けるのに苦労するという問題があった。
【０００９】
【発明が解決しようとする課題】
本発明は、沈埋函の沈設時に、沈埋函と浮体であるフロートとを一体化させると共に、操函ウインチをフロート上に搭載して、操函時の安定性を良くし、高精度で沈埋函の沈設位置決めを行うことができて、高波浪の時でも据付け作業を行うことができる沈埋函の沈設方法およびその装置を提供する。
【００１０】
【課題を解決するための手段】
本発明は、沈埋函沈設時に上面が水面上に位置するフロートを有する構造物を固定した沈埋函を沈設場所まで曳航し、上記各フロートを備えた構造物上に設けられた操函ウインチの各操函ワイヤーと、あらかじめ水中に設置した複数のシンカーとを接続し、沈埋函の前後左右の位置関係を上記操函ウインチを調整操作しながら沈埋函内に注水して沈埋函を所定の据付位置に沈設する沈埋函の沈設方法からなり、その方法を実施する装置は、函内注排水ポンプを備えた沈埋函に、バラストタンク及びその注排水用のポンプを備えた沈埋函沈設時に上面が水面上に位置するフロートを有する構造物を脱着可能に固定すると共に、それら各フロートに、沈埋函をあらかじめ水中に設置した複数のシンカーを介して所定の据付位置に据付けるための操函ウインチ及びフェアリーダを配設した沈埋函の沈設装置からなる。
【００１１】
【発明の実施の形態】
以下図面を参照して本発明の実施の形態を説明するが、図１は本発明の沈埋函の沈設方法により沈埋函を水面上より沈降させる装置の一実施形態におけるフロートの要部平面図であり、図２は図１の正面図、そして図３は図１の側面図であり、さらに図４は図１のフロート１０をその四隅に固定した沈埋函の沈設状態の平面図、そして図５は図４の沈埋函の側断面図である。
【００１２】
まず、本発明の装置においては、前記従来のごとく浮体から海底に沈設しようとする沈埋函Ａを吊り下げる方式とは異なり、沈埋函沈設時に上面が水面上に位置する浮体であるフロート１０を沈埋函Ａと一体化させており、このフロート１０には、吃水調整を行なうためのバラストタンク１２およびバラストを注排水するための自吸式の注排水ポンプ１３が備えられており、このフロート１０は沈埋函Ａの上方の四隅にボルト等により着脱可能に固定している。
【００１３】
なお、フェアリーダ１４は、ワイヤーの上下左右に追従できる水平ローラ付フェアリーダやユニバーサルフェアリーダを使用すると、より好ましい。
【００１４】
また、このフロート１０には、バラスト給水管１６およびバラスト排水管１７が設けられており、さらに沈埋函Ａのタンク内給排水管４０が設けられており、各フロート１０上には沈埋函Ａを所定の位置に精度良く据付けるための操函ウインチ１１、フェアリーダ１４および発電機１５等が配設されており、図４に示すごとく、あらかじめ海中に設置した複数のシンカー３７に接続した８本の操函用ワイヤー１９を操函ウインチ１１で調整操作するようになっている。
【００１５】
次に、上記本発明における沈埋函一体型のフロート１０を使用した沈埋函Ａの沈設手順を説明すると、沈埋函Ａの艤装ヤード等にて沈埋函Ａの四隅にフロート１０をボルト等で固定し、沈設場所まで引船により曳航する。
【００１６】
そこで、フロート１０上の操函ウインチ１１の操函用ワイヤー１９と、あらかじめ水中に設置したシンカー３７を接続し、図５の沈埋函Ａ内のバラストタンクへ函内注排水ポンプ１８を使用して海水を注入、所定の据付水深になるまで海水を注水するが、この時、沈埋函Ａの前後左右位置関係を８台の操函ウインチ１１を操作することにより調整を行なう。
【００１７】
沈埋函Ａの据付完了後、各フロート１０内に海水を注水し、フロート１０の接続用のボルトを外してもフロート１０が浮き上らないようにする。
【００１８】
フロート１０は上記の接続用のボルト外しの後、フロート１０内の海水を排水し、浮上させ艤装ヤードへ曳航して、次函へ転用することができる。
【００１９】
なお、図４のこの実施形態に示すものは、水深が浅いためフロート１０のみを沈埋函Ａに固定しているが、水深が深くなった場合は、櫓等の上部にフロート１０を取り付けた構造物を沈埋函に固定するものとする。
【００２０】
【発明の効果】
以上に説明した本発明の沈埋函の沈設方法によれば、操函ウインチをフロート上に搭載して、フロートを沈埋函と一体化させているため、操函時の安定性が良く、高精度で位置決めを行なうことが可能になる。
【００２１】
従って、従来の方法の場合に比べ、高波浪のときでも沈埋函の据付け作業を容易、正確、かつ迅速に行なうことができる。
【００２２】
また、この実施形態では、フロート１０を沈埋函Ａの上方の四隅に着脱可能に固定しているが、沈埋函の前後左右位置関係を調整可能に操函ウインチを配置できれば、その位置と数は適宜選定することができる。
【図面の簡単な説明】
【図１】本発明の沈埋函を沈降させる装置の一実施形態における要部平面図である。
【図２】図１の正面図である。
【図３】図１の側面図である。
【図４】図１のフロートをその四隅に固定した沈埋函の沈設状態の平面図である。
【図５】図４の沈埋函の側断面図である。
【図６】従来のプレーシングバージ方式の斜視図である。
【図７】従来のタワーポンツーン方式の斜視図である。
【図８】従来のプレーシングポンツーン方式の斜視図である。
【符号の説明】
１０    フロート
１１    操函ウインチ
１２    バラストタンク
１３    注排水ポンプ
１４    フェアリーダ
１８    函内注排水ポンプ
１９    操函ワイヤー
３７    シンカー
４０    タンク内給排水管
Ａ    沈埋函
【図１】
2004256990.tif 000003
【図２】
2004256990.tif 000004
【図３】
2004256990.tif 000005
【図４】
2004256990.tif 000006
【図５】
2004256990.tif 000007
【図６】
2004256990.tif 000008
【図７】
2004256990.tif 000009
【図８】
2004256990.tif 000010